(57)【特許請求の範囲】
【請求項１】
ローマ字で日本語を入力するための小型キーボードにおいて、
ボタンの構成は、中央に従来の３×４配列（または、テンキー配列とも称する）、前記３×４配列の左右に１列ずつさらに配列されて全体的に横×縦が５×４の配列であり、
前記従来のテンキー配列に該当するボタンは、１番キーにはａが、２番キーにはｋが、３番キーにはｓが、４番キーにはｔが、５番キーにはｎが、６番キーにはｈが、７番キーにはｍが、８番キーにはｙが、９番キーにはｒが、０番キーにはｗが配列され、
濁音と半濁音を入力するときに使用されるｇ、ｚ、ｄ、ｂ、ｐは、その代表音価（清音）が配置されたキーに一緒に配置され、
母音であるｉ、ｕ、ｅ、ｏは、前記３×４配列の左右列のボタンのうち４つのボタンにそれぞれ１つずつ配置され、左右列のボタンのうち残り４つのボタンには機能キーが１つずつ配置され、
前記２番キーの二番目文字のところに「ｇ」が、三番目文字のところに「ｋｋ」が、３番キーの二番目文字のところに「ｚ」が、三番目文字のところに「ｓｓ」が、４番キーの二番目文字のところに「ｄ」が、三番目文字のところに「ｔｔ」が、６番キーの二番目文字のところに「ｂ」が、三番目文字のところに「ｐ」が、四番目文字のところに「ｐｐ」が配列され、
それぞれのキーで代表文字を選択する方法によって代表文字が入力され、二番目の文字を選択する方法によって二番目の文字が入力され、三番目の文字を選択する方法によって三番目の文字が入力され、四番目の文字を選択する方法によって四番目の文字が入力されることを特徴とする日本語を入力するための小型キーボード。
【請求項２】
母音キー、前記７番キー、８番キー、９番キー、０番キーの二番目文字のところに長音符号（ー）、促音、または文章符号が１つずつさらに配置されることを特徴とする請求項１に記載の日本語を入力するための小型キーボード。
【請求項３】
代表文字を選択する方式は該当キーを一回押すことであり、二番目の文字を選択する方式は該当キーを連続して二回押すことであり、三番目の文字を選択する方式は該当キーを連続して三回押すことであり、四番目の文字を選択する方式は該当キーを連続して四回押すことである請求項１に記載の日本語を入力するための小型キーボード。
【請求項４】
長音符号（ー）、促音、または文章符号が１つずつさらに配置される方式は、促音、長音、ｖ、ｌが７番キー、８番キー、９番キー、０番キーにそれぞれ１つずつ配置され、ｉキー、ｕキー、ｅキー、ｏキーに文章符号がそれぞれ１つずつ配置されることを特徴とする請求項２に記載の日本語を入力するための小型キーボード。
【請求項５】
ａキーを除いた母音キーが左側と右側のいずれか一方に、または左右に分かれて配置されるようにユーザが選択できる機能をさらに提供することを特徴とする請求項１に記載の日本語を入力するための小型キーボード。
【請求項６】
ローマ字で日本語入力をするための小型キーボードを具現する方法において、
ボタンの構成は、中央部に従来の３×４配列（または、テンキー配列とも称する）、前記３×４配列の左右に１列ずつさらに配列されて全体的に横×縦が５×４の配列であり、
前記従来のテンキー配列に該当するボタンは、１番キーにはａが、２番キーにはｋが、３番キーにはｓが、４番キーにはｔが、５番キーにはｎが、６番キーにはｈが、７番キーにはｍが、８番キーにはｙが、９番キーにはｒが、０番キーにはｗが配列され、
濁音と半濁音を入力するときに使用されるｇ、ｚ、ｄ、ｂ、ｐは、その代表音価（清音）が配置されたキーに一緒に配置され、
母音であるｉ、ｕ、ｅ、ｏは、前記３×４配列の左右列のボタンのうち４つのボタンにそれぞれ１つずつ配置され、左右列のボタンのうち残り４つのボタンには機能キーが１つずつ配置され、
前記２番キーの二番目文字のところに「ｇ」が、三番目文字のところに「ｋｋ」が、３番キーの二番目文字のところに「ｚ」が、三番目文字のところに「ｓｓ」が、４番キーの二番目文字のところに「ｄ」が、三番目文字のところに「ｔｔ」が、６番キーの二番目文字のところに「ｂ」が、三番目文字のところに「ｐ」が、四番目文字のところに「ｐｐ」が配列され、
それぞれのキーで代表文字を選択する方法によって代表文字が入力され、二番目の文字を選択する方法によって二番目の文字が入力され、三番目の文字を選択する方法によって三番目の文字が入力され、四番目の文字を選択する方法によって四番目の文字が入力されることを特徴とする日本語を入力するための小型キーボードを具現する方法。
【発明の詳細な説明】
【技術分野】
【０００１】
本発明は、日本語文字を入力するための小型キーボードに関する。
【背景技術】
【０００２】
［文献１］マイクロソフト日本語キー配列マニュアル
［文献２］文字頻度表（http://www7.plala.or.jp/dvorakjp/hinshutu.htm）（検索日
：２０１１．１２．６）
［文献３］Ｋｏｄａｍａ文字配列（http://www2u.biglobe.ne.jp/〜cws/kodama_1.htm
）（検索日：２０１１．１２．１５）
［文献４］携帯電話のローマ字入力方式（http://www.d-tech.jp/kaihatu/main2.html
）（検索日：２０１１．１２．１５）
【発明の概要】
【発明が解決しようとする課題】
【０００３】
日本語を入力するための小型キーボードとして、３×４のキーパッドにひらがなの各行の「あ」段の文字を順に配置したテンキー方式があるが、該方式は相当不便がある。
【０００４】
それを解決しようとして多様に試みられてきたが、小型ＱＷＥＲＴＹキーボードはキーがあまりにも小さくて不便であり、新たな配列と新たな入力方式を有する方式はユーザの学習を要してあまり選択されていない。
【０００５】
そこで、本発明は、スマートフォンのような小型機器でも日本語を容易に入力できるように、現在日本人が最も多く使用する日本語入力方法であるローマ字で入力する方法がより容易に適用された小型キーボード（以下、仮想キーボードを含む）の具現方法を提示することを目的とする。
【課題を解決するための手段】
【０００６】
上記の課題を達成するため、本発明によるボタンの構成は、基本的に、横×縦５×４の配列であり、中央の３×４配列は従来の３×４配列（または、テンキー配列とも称する）に該当する。
【０００７】
ユーザが新たなキー配列を覚え易いように、従来のテンキー配列方式で「あ」が配置されたキーにはａが、「か」が配置されたキーにはｋが、「さ」が配置されたキーにはｓが、「た」が配置されたキーにはｔが、「な」が配置されたキーにはｎが、「は」が配置されたキーにはｈが、「ま」が配置されたキーにはｍが、「や」が配置されたキーにはｙが、「ら」が配置されたキーにはｒが、「わ」が配置されたキーにはｗが配置される。
【０００８】
また、すべての日本語文字を入力するためにさらに必要な文字であるｉ、ｕ、ｅ、ｏ、ｇ、ｚ、ｄ、ｂ、ｐ、ｖ、ｌなどのうち、濁音や半濁音を入力するときに使用されるｇ、ｚ、ｄ、ｂ、ｐはその代表音価（清音）が配置されたキーに一緒に配置され、母音であるｉ、ｕ、ｅ、ｏは前記３×４配列の左右列のボタンのうち４つのボタンにそれぞれ一つずつ配置され、左右列のボタンのうち残り４つのボタンには入力取消し（または削除）ボタン、多国語モード、特殊記号モード、カタカナモードなどの機能キーが配置される。
【０００９】
また、１つのキーに複数配置された文字を選択して入力する方式は、一般的に知られた連続押し方式や、タッチスクリーンの場合は、それぞれのキーの代表文字は短くタッチし、左側や右側に配置された文字はキーを左側や右側にドラッグして入力する方式で入力す
ることができる。
【発明の効果】
【００１０】
本発明によれば、小型キーボードでも日本語文字を容易且つ迅速に入力することができる。
【図面の簡単な説明】
【００１１】
【図１】ローマ字で日本語文字を入力するときに使用される文字別使用頻度を示したグラフである。
【図２】携帯電話でローマ字を入力する従来方式の１つである。
【図３】携帯電話でローマ字を入力するＫｏｄａｍａ配列である。
【図４】Ｋｏｄａｍａ式配列の３段変形を示した図である。
【図５】本発明による文字配列の一実施例である。
【図６】母音を右側に配置した文字配列である。
【図７】機能キーを組み合わせた実施例である。
【図８】左利きのための配列である。
【図９】母音を左右に配置した実施例である。
【図１０】図７の実施例で連続押しをする場合の画面処理例である。
【図１１】本発明のさらに他の実施例である。
【発明を実施するための形態】
【００１２】
図１は、ローマ字で日本語文字を入力するときに使用される文字別使用頻度を示したグラフである。
【００１３】
図１のグラフは、朝日新聞・読売新聞の一面及び社説、米国歴代大統領の就任演説（フィッツジェラルドからジョージ・ブッシュ）の和訳、２０代男性のＥ−ｍａｉｌ及び刑法から１１万７，４３３字を解釈したデータに基づいて作成されたものである（背景技術の欄に出所を示した）。
【００１４】
グラフから分かるように、母音ａ、ｉ、ｕ、ｅ、ｏは全て上位にランクされ、子音の使用頻度はｎ、ｔ、ｋ、ｓ、ｒ、ｙ、ｍ、ｗ、ｄ、ｇ、ｚ、ｂ、ｐ、ｆ、ｖ、ｑの順である。
【００１５】
したがって、最適化されたキー配列にするためには、このような使用頻度を考慮した配列にすべきである。
【００１６】
本発明は、正にそのような配列に従いながらも直観的な配列、さらに直観的な入力規則を有し、特別に学習しなくても、誰もが容易に使用できる容易且つ迅速なローマ字基盤のキー配列を提供する。
【００１７】
まず、従来のローマ字基盤の携帯用キーボードについて説明する。
【００１８】
図２は、携帯電話でローマ字を入力する従来方式の１つである。
【００１９】
図２の方式では、図示されたマナーキーと４つの方向キーを従来の３×４型キーパッドに付け加えて文字入力に使用する。
【００２０】
以下、その入力方式を詳しく説明する。
【００２１】
母音の場合は、「あ」キーを押して「ａ」を、「↑」キーを押して「ｉ」を、「→」キ
ーを押して「ｕ」を、「↓」キーを押して「ｅ」を、「←」キーを押して「ｏ」を入力する。子音は、「か」キーを押して「ｋ」を、「さ」キーを押して「ｓ」を、「た」キーを押して「ｔ」を、「な」キーを押して「ｎ」を、「は」キーを押して「ｈ」を、「ま」キーを押して「ｍ」を、「や」キーを押して「ｙ」を、「ら」キーを押して「ｒ」を、「わ」キーを押して「ｗ」を入力する。
【００２２】
濁音の子音は「マナー」キーを使用して入力する。すなわち、「マナー」キーを押してから「か」キーを押して「ｇ」を、「マナー」キーを押してから「さ」キーを押して「ｚ」を、「マナー」キーを押してから「た」キーを押して「ｄ」を、「マナー」キーを押してから「は」キーを押して「ｂ」を入力する。
【００２３】
半濁音の子音は、「マナー」キーを押してから「な」キーを押して入力する。
【００２４】
「ん」は、「な」キーを二回連続して押して「ｎｎ」を入力すれば「ん」になる。
【００２５】
促音は子音キーを二回連続して押して入力し、句読点は「マナー」キーを押してから「あ」キーを押して入力し、長音記号「ー」は「マナー」キーを二回連続して押して入力し、小文字は「マナー」キーと「ら」キーを押してから小文字になる文字を入力すれば良い。
【００２６】
その他に拡張ローマ字であるｆ、ｊ、ｌ、ｖは、「マナー」キーとそれぞれ「ま」キー、「や」キー、「ら」キー、「わ」キーを連続して押して入力する。
【００２７】
しかし、このような方式は、押そうとする子音がキーの表面に示されておらず、また英文字入力用の表示のためかえって紛らわしいだけで（例えば、「ｋ」を入力しようとすれば、２番キーを押さなければならないが、「ｋ」は５番キーに示されている）、方向キーに配列されている母音ｉ、ｕ、ｅ、ｏも直観性がなくて学習を必要とし、相当な演習を要する。また、濁音入力方式も「マナー」キーという別途のキーを使用するため、直観性がなくて学習を必要とし、相当な演習を要する。また、半濁音の場合はその入力するローマ字である「ｐ」を、何の関連もない「ｎ」を入力する「な」キーと「マナー」キーを一緒に押さなければならず、上述した他の例よりさらに直観性が足りなくて学習と演習を必要とする。
【００２８】
他にも、句読点、長音、拡張ローマ字（ｆ、ｊ、ｌ、ｖ）、小文字入力方式も直観性が足りなく相当な学習と演習を必要とする。
【００２９】
また、母音キーが子音キーとかなり離れている点も、打数を減らす代わりに、運指距離が長くなって（片手で入力し難くなる）、その実効性の面で大きい成果を成し遂げたとは言えなかった。
【００３０】
図３は、携帯電話でローマ字を入力するＫｏｄａｍａ配列である。
【００３１】
この方式は、従来の３×４キーパッドを基盤にして子母方式で入力できるようにしたことを特徴とする。
【００３２】
しかし、この方式も直観性が足りなく、学習しなければ使用し難かった。濁音を入力するための先行キーとしてＹキーを使用することなどは、学習しなければ分かることができず、全く直観性のないものである。
【００３３】
図４は、Ｋｏｄａｍａ式配列の３段変形を示した図である。
【００３４】
図面から分かるように、Ｙキーを押して濁音や、使用率の低い他の子音であるＭ、Ｗなどを押す方式は、直観性もなく、一貫性もない。
【００３５】
確かに、「ｐ」を入力するため、先にＹキーを二回押すということは理解し難い方式である。
【００３６】
従来方式について上述したが、以下では、本発明について説明する。
【００３７】
図５は、本発明による文字配列の一実施例である。
【００３８】
図示されたように、本発明のローマ字配列はユーザに最も馴染みのあるテンキー配列をそのまま活用する。すなわち、本発明は、「あ」が配置されたところにａを、「か」が配置されたところにｋを、「さ」が配置されたところにｓを、「た」が配置されたところにｔを、「な」が配置されたところにｎを、「は」が配置されたところにｈを、「ま」が配置されたところにｍを、「や」が配置されたところにｙを、「ら」が配置されたところにｒを、「わ」が配置されたところにｗを配置して、誰もが知っているこの配列をそのまま使用できるようにした。
【００３９】
また、この１０個の文字配列に４つの母音キーをその左側に付け加えてそれぞれｉ、ｕ、ｅ、ｏを配列をすることで、本発明の最も基本になる上位１４個の文字が基本文字として配列された原型が完成される。このようなキーの配列は互いに近いため片手による入力が便利であり、両手で子音母音を交互に入力するにも便利であり、また、そのローマ字を該当するキーに表示することで直観性が良く、素早く探して入力することができる。
【００４０】
また、使用頻度で計算して、トータル９１．４％を占める頻度を有する上位１４個の文字がそれぞれ一回打ちで入力できて非常に効率が高く、さらに、ａ、ｉ、ｕ、ｅ、ｏの母音キーが全て順に配列されているため、直観性に優れて学習も暗記も必要ない配列である。
【００４１】
ここで、濁音と半濁音を入力するときに使用するｄ、ｇ、ｚ、ｂ、ｐをそれぞれその清音音価を示す文字と一緒に配置する。すなわち、ｇはｋと一緒に、ｚはｓと一緒に、ｄはｔと一緒に、ｂとｐはｈと一緒に配置してキーに表示し、これもまた学習を必要としない配列になる。
【００４２】
また、ここで、最後のキーに小文字を作るときに使用するｌと一緒にｖを配置した。ｖはｈと一緒に配置されることがその一貫性の面で望ましいが、この文字が殆ど使用されず、また、ｂとｐとともに４つの文字が１つのキーに配置されることは効率の面が良くないため、あまり使用しない他の文字であるｌと一緒に１ヶ所に集めておいた。
【００４３】
また、そこに、重なって入力する必要のない文字であるｍ、ｙ、ｒ、ｗが配置されたキーと前記ｖｌキーに、頻繁に使用する文章記号（、、。、！、？）及び長音記号（ー）をそれぞれ１つずつさらに配置した。
【００４４】
前記ｖ、ｌと文章記号が必ずしも図示されたように配置される必要はない。ｍ、ｙ、ｒ、ｗ、ｖｌキーにそれぞれ分けて配置し、その順は実施する者の目的に合わせていくらでも変形して配置することができる。
【００４５】
また、前記ｖｌキーは、４行２列のところに配置しても良い。
【００４６】
以下、このようなキー配列でそれぞれの文字を入力する方式について説明する。
【００４７】
それぞれのキーにおいて、一番目に配置された文字であるａ、ｉ、ｕ、ｅ、ｏ、ｋ、ｓ、ｔ、ｎ、ｈ、ｍ、ｙ、ｒ、ｗ、ーはそれぞれ一回押すことで入力される。
【００４８】
二番目に配置された文字であるｇ、ｚ、ｄ、ｂ、、、。、！、？、ｖは、それぞれの該当キーを「連続押し」方式で二回連続して入力することで入力する。連続押しとは、Ｋキーを一回押せばｋが入力され、もう一回押せばｋの次の文字であるｇが入力される方式を言う。
【００４９】
以下、本発明によるキー配列で小文字を入力する方法について説明する。
【００５０】
本発明によるキーボードでも、コンピューター用日本語キーボードで小文字を作るキーであるｌキーを先に押してから小文字で入力したい文字キーを押せば、該当文字の小文字が入力される。例えば、「あ」の小文字「ぁ」を入力しようとすれば、ｌ、ａを順に入力すれば良い。
【００５１】
小文字を入力する他の方法は、該当小文字が他の文字と組み合わされた形態の文字を入力するローマ字を全て一緒に入力する方法である。例えば、「いぇ（ｙｅ）」を入力しようとすれば、「ｉ」を押して「い」を入力した後、「ｌ」と「ｅ」を押して「ぇ」を入力する方法もあるが、最初から「ｙ」と「ｅ」を押して「いぇ」を入力しても良い。このような入力方法もコンピューターで既に周知された方式である。
【００５２】
次は、小文字のうち促音「っ」を入力する方法について説明する。
【００５３】
勿論、「ｌ」、「ｔ」、「ｕ」を順に押して入力することもできるが、既に広く使用されているように、促音の次の字の子音を重ねて入力することで、っを入力する方法を使用しても良い。すなわち、「ざっし」で「っ」を入力するときは、「ｓ」と「ｉ」を押して入力する「し」の前の文字である「ｓ」を重ねて入力すれば良い。すなわち、「ｓ」、「ｓ」、「ｉ」を順に入力すれば「っし」が入力される。
【００５４】
ところが、このように子音を重ねて入力する場合、１つのキーに複数配置された文字を連続押しで選択するこのようなキーボードでは間違い易いという問題点がある。例えば、「−ｔｔ−」を入力すれば「−ｄ−」が入力される。
【００５５】
そこで、このような促音入力を円滑に行うため、本発明は次のような規則を提供する。ｔ、ｄが配置されたキーを例として挙げて説明すれば、
ｔ一度＝ｔ入力で処理
ｔ連続二回＝ｄ入力で処理
ｔ連続三回＝ｔｔ（っｔ）入力で処理
ｔ連続四回＝ｄｄ（っｄ）入力で処理
ｔ連続五回＝再びｔ入力で処理
その後、さらに押せば、このような過程を繰り返す。ここで、「っｄ」のように実際の言語でほとんど使用しない場合であれば、その段階は省略しても構わない。
【００５６】
さらに、促音を入力しようとしてｋｋ、ｓｓ、ｔｔ、ｐｐを入力するとき、本発明によれば、それぞれ該当キーを３回、３回、３回、４回を入力することになるが、特にｐｐは他の促音に比べて打数が１回多く、不便でもあるだけでなく、紛らわしくなる恐れもある。このような問題を解消するために、本発明は子音を重ねて促音を入力する方式より簡単な方法をもう１つ提供する。
【００５７】
促音（っ）をｖｌキーの一番目に配置し、促音が必要なときに一回押すことで促音が入力されるようにする方法である。これは促音を押すべきタイミングでタイピングのリズム感を失わずに入力できるという長所がある。また、長音符号はカタカナモードのみで使用されるため、促音の後順位に配置しても構わないと考えられる。もちろん、その順番は実施する者の選択による。
【００５８】
小文字の入力は、ｌの代わりにｘを使用するユーザもいるため、ユーザオブションによってｌの代わりにｘを配置するようにしても良い。
【００５９】
次に、連続押しにより他のキーを処理する方法について補足説明する。
【００６０】
例えば、ｍキーを挙げて説明する。一回押せば「ｍ」、二回押せば「、」が入力されることは一般的な連続押しと同様であるが、三回押すときからは少し異なる具現例にすることもできる。すなわち、「、」を入力して再び「ｍ」で始まる字を入力するときに、連続押しによって既に入力した「、」が消えることを防止するため、二回目の入力である「、」で連続押しを中止し、三回目の入力は新たな入力として処理するように具現することもできる。このような処理方法の選択は、当業者の目的に応じて変形自在である。
【００６１】
本発明において、数字を入力する方法は、それぞれの数字が表示されているキーを長く押すか、または、上下左右の特定方向（代表文字からの方向に沿って入力することが望ましい）にドラッグして入力すればよい。図面の場合であれば、下方向にドラッグして入力すれば数字が入力される。
【００６２】
勿論、本発明において、数字は表示してもよく、表示しなくてもよい。また、数字モードに切り替え、数字キーとして表示してから入力してもよい。
【００６３】
以下、本発明の他の配列について説明する。
【００６４】
図６は、母音を右側に配置した文字配列である。
【００６５】
上述した配列では母音キーが左側に配列され、右側に配置される場合より不自然な面があったため、本配列では、母音キーを右側に配列しながら基本的なキーの配列は維持した。
【００６６】
母音キーを右側に配列するためには、左側の１番キーにあった「Ａ」キーを右側に移動させ、そこに実施例１で最後のキーに配置されていた文字を１番キーに配置し、最後のキーには図示されたように母音キーを配置する。
【００６７】
すなわち、本配列は母音キーを別途のキーに配置して右側に置き、子音キーは従来のテンキー配列に沿って配列したものである。
【００６８】
上述したように、促音がキーに表示されていることも確認できる。
【００６９】
図７は、機能キーを組み合わせた実施例である。
【００７０】
図示されたように、濁音と半濁音は清音キーを連続して押すことで入力できるということは直観的に分かる配列であるため、キースキン（ｋｅｙｓｋｉｎ）にはその表記を省略しても構わない。このような実施は美観上の長点がある。
【００７１】
本実施例は、ｍ、ｙ、ｒ、ｗキーの連続押しの後順位文字として促音、長音、小文字接頭語（ｌ）、ｖを配置して、基本テンキー配列に日本語文字の入力に関連するものを集めておき、文章符号は数字入力と同様の方法で入力するようにしたことが特徴である。すなわち、日本語文字は連続押しによって入力し、数字や他の記号は連続押し以外の方法で入力するようにして一貫性を維持した。
【００７２】
また、右側には入力取消し（削除）、多国語、記号、カタカナモードなどの機能キーを配列し、スペースとエンターキーは中央に配置した。スペースとエンターキーは、日本語入力では単にブランク入力や改行の用途のみで使用されるものではなく、さらに複雑な機能をする。スペースは、ローマ字を入力した後画面に示される推薦文字（普通漢字）を選ぶ用途で使用され（次の候補文字に移動）、エンターキーは、同じ状態（ローマ字入力状態）で現在の候補文字を確定する用途で使用される。すなわち、スペースとエンターキーは他のキー配列より多く使用されるキーであり、片手で入力する場合、あまりに隅にあれば、親指を伸ばし過ぎたり過度に曲げなければならず不便であるため、図面のように中央部に位置させることが望ましい。
【００７３】
図８は、左利きのための配列である。
【００７４】
本配列は、図７の実施例でｉキー、ｕキー、ｅキー、ｏキーの列が右側に位置するようにユーザが選択した場合の配列である。
【００７５】
本発明によるキーボードに関連するユーザ選択事項を機器のユーザ設定メニューで設定できるようにすることが望ましく、そのメニューで左利き配列を選択すれば、図面のように配列されるようにすることが望ましい。
【００７６】
図９は、母音を左右に配置した実施例である。
【００７７】
本配列は、図７の実施例でｅキー、ｏキーの列が右側に位置するようにユーザが選択した場合の配列である。他の機能キーの位置は自動的に図面のように移動される。
【００７８】
本発明によるキーボードに関連するユーザ選択事項を機器のユーザ設定メニュ−で設定するようにすることが望ましく、そのメニューで左右配列を選択すれば、図面のように配列されるようにすることが望ましい。
【００７９】
図１０は、図７の実施例で連続押しをする場合の画面処理例である。
【００８０】
図７の実施例で濁音や半濁音の表示をキースキンに表記しない代わりに、該当キーを押す度に次に入力される文字をキースキンに示せば、規則が分からないユーザでも容易に使用することができる。図１０はその機能を説明している。
【００８１】
図１０の一番目の図は押されていない状態のｋキーのキースキンの様子である。このキーを一回押せば、その次の図のようにｋキーの文字表記がＫからＧに変わる。それをもう一回押せばｋキーの連続押しの規則上ｇが入力されることを知らせるためである。そこでｋキーをもう一回押せば、その次の図のように表記がＧからＫＫに変わる。さらに一回押せば、最後の図のようにＫＫはまたＫに変わる。ここで、連続押しによって他の文字が入力されるとき、図面のようにキースキンの色相も変化させることで一層目立たせることもできるが、文字表記の他の変化は与えなくても良い。
【００８２】
図１１は、本発明のさらに他の実施例である。
【００８３】
タブレットＰＣを両手で持ってタイピングするときは、親指のみを使用することがより便利である。本発明によれば、図示されたように子音と母音を両側に分けて配置し、小型デバイスでは図面のようにつながっている状態で使用し、タブレットＰＣなどでは子音部とその他の部とを離して両側に配置して、両手で持っている状態でも親指だけで容易に入力することができるという長所がある。
【００８４】
以上のように、本発明の配列と入力方式は全て優れた直観性を有しているため、特別な学習と演習を必要とせず、また効率が良いため非常に速い入力が可能である。
【００８５】
物理キーボードを用いて本発明を具現する場合は、本発明によって配列された物理キーボードと、そこから発生したスキャンコードの入力を受けて上述したように文字コードに変換させるソフトウェアがホストに備えられていれば良い。また、仮想キーボードで具現しようとする場合は、本発明によるキー配列が画面にディスプレイされるように仮想キーボード領域を割り当て、入力手段（例えば、マウスやタッチなど）によって仮想キーボード内の特定キーが選択されたり又はジェスチャーが入力されれば、入力イベントによって対応値が発生し、発生された対応値を上述したように処理して文字に変換するようにプログラムされていれば良い。
【００８６】
本発明を具現するためには、他の一般的な構成要素がすべて備えられていなければならないことは自明であり、これは一般的な技術であるため、説明は省略する。
【００８７】
ただし、従来の技術と異なる点は、本発明が提示する新たな文字配列とその文字を選択して入力する方式が異なるということであり、この新たな体系によって入力される文字列を分析して日本語文字の入力に変換すれば良い。
【００８８】
本発明を用いれば、小型キーボードでも日本語文字を容易且つ迅速に入力することができる。
【図１】
0005882497.tif 000002
【図２】
0005882497.tif 000003
【図３】
0005882497.tif 000004
【図４】
0005882497.tif 000005
【図５】
0005882497.tif 000006
【図６】
0005882497.tif 000007
【図７】
0005882497.tif 000008
【図８】
0005882497.tif 000009
【図９】
0005882497.tif 000010
【図１０】
0005882497.tif 000011
【図１１】
0005882497.tif 000012